(57)【要約】【課題】給湯温度が使用者の意に反して高くなることを防止すると共に使い勝手のよい給湯装置を提供する。【解決手段】１台の給湯熱源機２を浴室用リモコン３、台所用リモコン４、洗面所用リモコン５等の複数のリモコンで制御する給湯装置１において、主電源がオンにされた状態でいずれの給湯口からも給湯がなされていない状態が所定の基準時間（例えば１分）継続した場合は、コントローラ６は各リモコンで設定されている設定温度のうち、最低の設定温度を給湯熱源機２の運転温度とする。これにより、使用者が給湯を行うときは給湯温度が低い温度のものとなる。また、設定温度が最低ではないリモコンにおいて、最低の温度で給湯されている場合を除き、温度設定スイッチをアップさせると自己のリモコンの設定温度が給湯熱源機２の運転温度となるので、設定温度が最低ではないリモコンにおいても使い勝手がよい。【選択図】  図１
2004309068.tif 000002
【特許請求の範囲】
【請求項１】
給湯熱源機と、前記給湯熱源機に接続された複数の給湯口と、前記複数の給湯口の近傍に設置され前記給湯熱源機の設定温度を別個に設定可能な複数のリモコンと、少なくともいずれかの前記給湯口から給湯が行われている際にその給湯を検知する給湯検知手段と、前記複数のリモコンからの指示により前記給湯熱源機の給湯温度を制御する制御手段とを備えた給湯装置において、
前記制御手段は、主電源がオフの状態で最初に主電源をオンにしたリモコンの設定温度を前記給湯熱源機の運転温度とし、前記運転温度と前記各リモコンの設定温度とを比較して前記運転温度が前記各リモコンの設定温度の中の最低温度よりも高く、いずれの給湯口からも給湯されていないことが前記給湯検知手段により検知され所定の基準時間以上継続したときは、前記各リモコンの設定温度のうちの最低温度を選択して新たな運転温度とすることを特徴とする給湯装置。
【請求項２】
給湯熱源機と、前記給湯熱源機に接続された複数の給湯口と、前記複数の給湯口の近傍に設置され前記給湯熱源機の設定温度を別個に設定可能な複数のリモコンと、少なくともいずれかの前記給湯口から給湯が行われている際にその給湯を検知する給湯検知手段と、前記複数のリモコンからの指示により前記給湯熱源機の給湯温度を制御する制御手段とを備えた給湯装置において、
前記制御手段は、主電源がオフの状態で最初に主電源をオンにしたリモコンの設定温度を前記給湯熱源機の運転温度とし、前記運転温度が前記各リモコンの設定温度の中の最高温度以外の温度でいずれかの前記給湯口に給湯されているときは、前記リモコンにより主電源のオフ操作がなされた際に前記オフ操作を無効にすることを特徴とする給湯装置。
【請求項３】
前記給湯検知手段は前記複数の給湯口のうちいずれの給湯口から給湯が行われているかを検知し、
前記制御手段は、前記運転温度が前記各リモコンの設定温度の中の最低温度の状態で給湯が行われている際に、給湯が行われている給湯口を前記給湯検知手段により検知し、前記給湯が行われている給湯口を制御するリモコンの設定温度が前記最低温度よりも高く、該リモコンの給湯温度を上昇させる指示がなされたときは、前記給湯熱源機の運転温度を該リモコンの設定温度に変更することを特徴とする請求項１又は２に記載の給湯装置。
【請求項４】
前記制御手段は、前記給湯熱源機に設定されている運転温度が前記各リモコンの設定温度の中の最低温度の状態で主電源がオフにされ、所定の第２基準時間が経過する前にいずれかのリモコンにより主電源がオンにされて前記運転温度が高く変更されたときは、少なくとも設定温度が最低温度のリモコンに対して前記運転温度が変更されたことを報知する報知手段を備えていることを特徴とする請求項１乃至３のいずれか１項に記載の給湯装置。
【発明の詳細な説明】
【０００１】
【発明の属する技術の分野】
本発明は、浴室や台所、あるいは洗面所等に給湯を行い、それぞれの箇所に設けられたリモコンにより給湯温度が制御される給湯装置に関する。
【０００２】
【従来の技術】
従来の給湯装置では、１台の給湯熱源機から浴室、台所あるいは洗面所等にある複数のカランやシャワー等の給湯口に給湯が行われている。また、それぞれの給湯箇所の近傍に給湯温度を調節するリモコンが設けられている。このような給湯装置においては、複数の給湯箇所が同時に使用された場合であっても、給湯熱源機が１台であるので、給湯温度はいずれかのリモコンで設定されたものとなっている。通常は、下記特許文献１に開示されているように、給湯装置の主電源がオフの状態で主電源をオンにする操作を行ったリモコンの設定温度を給湯熱源機の運転温度としている。
【０００３】
このような給湯装置においては、通常台所用リモコンの設定温度が浴室用リモコンの設定温度より高くなっており、また、台所で操作が行われることが多いため、通常は台所リモコンの設定温度が給湯熱源機の運転温度となる。あるいは、台所において給湯を行い、給湯終了後に主電源を切らなかった場合も給湯熱源機の運転温度は台所リモコンの設定温度となる。
【０００４】
また、例えば浴室で浴室リモコンの設定温度においてシャワーを使用しているときに、台所で誤って主電源をオフにして再び主電源をオンにした場合、シャワーからは台所リモコンで設定された設定温度の湯が供給されることになる。
【０００５】
このように、給湯熱源機の運転温度が台所用リモコンの設定温度となっていた場合には、例えば浴室でシャワーを使用する場合には高温の湯が供給されてしまい、このままの状態で浴室でシャワーを浴びるとシャワーには浴室リモコンにおける設定温度よりも高い温度の湯が供給されることになる。これでは、使用者の意に反して高い温度の湯が供給されてしまうおそれがある。
【０００６】
【特許文献１】
特開平１１−２５７７３２号公報（第２頁）
【０００７】
【発明が解決しようとする課題】
本発明は、給湯装置の改良を目的とし、さらに詳しくは前記不都合を解消するために、給湯温度が使用者の意に反して高くなることを防止すると共に使い勝手のよい給湯装置を提供することを目的とする。
【０００８】
【課題を解決するための手段】
前記目的を達成するために、本発明の給湯装置は、給湯熱源機と、前記給湯熱源機に接続された複数の給湯口と、前記複数の給湯口の近傍に設置され前記給湯熱源機の設定温度を別個に設定可能な複数のリモコンと、少なくともいずれかの前記給湯口から給湯が行われている際にその給湯を検知する給湯検知手段と、前記複数のリモコンからの指示により前記給湯熱源機の給湯温度を制御する制御手段とを備えた給湯装置において、前記制御手段は、主電源がオフの状態で最初に主電源をオンにしたリモコンの設定温度を前記給湯熱源機の運転温度とするものである。
【０００９】
そして、本発明の第１の態様においては、前記運転温度と前記各リモコンの設定温度とを比較して前記運転温度が前記各リモコンの設定温度の中の最低温度よりも高く、いずれの給湯口からも給湯されていないことが前記給湯検知手段により検知され所定の基準時間以上継続したときは、前記各リモコンの設定温度のうちの最低温度を選択して新たな運転温度とすることを特徴とする。
【００１０】
第１の態様の給湯装置によれば、給湯口で給湯されていない状態が所定の基準時間以上継続したときは、前記制御手段により前記運転温度が各リモコンの設定温度のうち最低の温度となるため、使用者の意に反して高い温度の湯が給湯されることがない。また、どの給湯口についても使用されていない状態で前記給湯熱源機の運転温度が変更されるので、高い給湯温度で使用中に使用者の意に反して給湯温度が下がるという不都合がない。さらに、高い温度で給湯を行いたい場合は、いずれかのリモコンにおいて主電源のオフ−オン操作を行って温度設定を行えばよいため、他のリモコンの設定を変えることなく高い温度の給湯を行うことができる。
【００１１】
また、本発明の第２の態様においては、前記制御手段は、前記運転温度が前記各リモコンの設定温度の中の最高温度以外の温度でいずれかの前記給湯口に給湯されているときは、前記リモコンにより主電源のオフ操作がなされた際に前記オフ操作を無効にすることを特徴とする。
【００１２】
いずれかの給湯口に給湯がなされている際に、他のリモコンにより主電源のオフ−オン操作を許容すると、当該他のリモコンの設定温度が前記給湯熱源機の運転温度とされてしまう。このとき、当該他のリモコンの設定温度が給湯が行われていた際の運転温度よりも高い場合、使用者の意に反して高い温度の湯が給湯されてしまう。一方、運転温度が最高の設定温度であれば他のリモコンによりオフ−オン操作がなされて運転温度が変更された場合であっても、運転温度が低くなるため使用者の意に反して高い温度の湯が給湯されることがない。そこで、第２の態様においては、前記運転温度が最高温度以外の温度のときは他のリモコンによる主電源のオフ操作を無効とし、使用者の意に反して高い温度の湯が給湯されないようにしている。
【００１３】
また、本発明の給湯装置においては、前記給湯検知手段は前記複数の給湯口のうちいずれの給湯口から給湯が行われているかを検知し、前記制御手段は、前記運転温度が前記各リモコンの設定温度の中の最低温度の状態で給湯が行われている際に、給湯が行われている給湯口を前記給湯検知手段により検知し、前記給湯が行われている給湯口を制御するリモコンの設定温度が前記最低温度よりも高く、該リモコンの給湯温度を上昇させる指示がなされたときは、前記給湯熱源機の運転温度を該リモコンの設定温度に変更することが好ましい。
【００１４】
前記給湯熱源機の運転温度が各リモコンの設定温度の中の最低温度の状態で、設定温度の高いリモコンの近傍の給湯口で給湯されたときは前記最低温度の温水が給湯されるが、使用者が当該リモコンで給湯温度を上昇させる操作を行ったときは当該リモコンの設定温度で給湯が行われるので、使用者は容易に当該リモコンの設定温度での給湯を行うことができる。
【００１５】
また、本発明の給湯装置においては、前記制御手段は、前記給湯熱源機に設定されている運転温度が前記各リモコンの設定温度の中の最低温度の状態で主電源がオフにされ、所定の第２基準時間が経過する前にいずれかのリモコンにより主電源がオンにされて前記運転温度が高く変更されたときは、少なくとも設定温度が最低温度のリモコンに対して前記運転温度が変更されたことを報知する報知手段を備えていることが好ましい。
【００１６】
あるリモコンにおいて主電源のオフ−オン操作を行った場合、他のリモコンの近傍にある給湯口を使用している使用者は当該オフ−オン操作に気づかない場合がある。本発明においては、このような場合に前記運転温度が高く変更されたときは、少なくとも設定温度が最低温度のリモコンに対して前記運転温度が変更されたことを報知して、使用者の知らない状態で給湯温度が変更される事態を防止している。
【００１７】
【発明の実施の形態】
次に、本発明の給湯装置の実施形態の一例について、図１及び図２を参照して説明する。図１は本実施形態の給湯装置の構成を示す模式図、図２は本実施形態の給湯装置の作動を示すフローチャートである。
【００１８】
本実施形態の給湯装置１は、図１に示すように、給湯熱源機２と、浴室Ｂに設けられている浴室用リモコン３と、台所に設けられている台所用リモコン４と、洗面所に設けられている洗面所用リモコン５とを備えている。これらのリモコンは、図１において一点鎖線で示すように、給湯熱源機２内に設けられたコントローラ６に電気的に接続されている。
【００１９】
また、浴室Ｂには、シャワー７と、浴室用カラン８と、浴槽９内に給湯を行う浴槽用給湯口１０とが設けられている。また、浴槽９には湯張りが行われたことを検知する湯張りセンサ１１が設けられ、コントローラ６に電気的に接続されている。また、台所用リモコン４の近傍には台所用カラン１２が設けられ、洗面所には洗面所用カラン１３が設けられている。また、これらのカラン等が接続されている給湯管１４には、給湯検知手段として、浴室Ｂ内のシャワー７等に給湯が行われたことを検知する給湯センサ１５、台所用カラン１２に給湯が行われたことを検知する給湯センサ１６、及び洗面所用カラン１３に給湯が行われたことを検知する給湯センサ１７が設けられ、それぞれコントローラ６に電気的に接続されている。
【００２０】
浴室用リモコン３には、自動湯張りを行う自動湯張りスイッチ１８、浴室用リモコン３の温度設定を優先させる優先切り替えスイッチ１９、追い焚きを行うおいだきスイッチ２０、浴室用リモコン３と台所用リモコン４とを使用して会話を行うための呼び出しスイッチ２１が設けられている。また、浴室用リモコン３のカバー３ａの内部には温度設定を行う温度設定スイッチ２２、給湯装置１の主電源のオンオフを行う運転スイッチ２３の他、種々のスイッチが設けられている。
【００２１】
台所用リモコン４には、給湯装置１の主電源のオンオフを行う運転スイッチ２４、浴槽内の自動湯張りを行う自動湯張りスイッチ２５、設定温度の変更を行う温度設定スイッチ２６が設けられている。また、洗面所用リモコン５には、台所用リモコン４と同様に、運転スイッチ２７、自動湯張りスイッチ２８、温度設定スイッチ２９等のスイッチが設けられている。
【００２２】
給湯熱源機２は、シャワー７や浴室用カラン８等の給湯口から給湯される湯の温度がコントローラ６により定められた運転温度となるように内蔵された図示しないバーナ等を制御するものである。また、コントローラ６には、浴室用リモコン３、台所用リモコン４及び洗面所用リモコン５の温度設定スイッチ２２，２６，２９で設定された設定温度が記憶されており、それぞれのリモコンで設定温度の変更がなされた場合には変更された設定温度が記憶されるようになっている。また、各リモコンは給湯熱源機２に設けられたコントローラ６と電気的に接続されており、各リモコンの主電源のオンオフ操作時にはどのリモコンで操作がなされたかをコントローラ６により判別することができる。
【００２３】
次に、本実施形態の給湯装置１において、各カランに温水を供給する際の制御について図１及び図２を参照して説明する。まず、本実施形態においては、主電源をオフからオンにしたリモコンの設定温度が給湯熱源機２の運転温度となるような設定となっている。
【００２４】
使用者がいずれかのリモコン３，４，５に設けられた運転スイッチ２３，２４，２７を操作して主電源をオンにすると（ＳＴＥＰ１）、コントローラ６は、まず前回主電源がオフにされてからオンにされた時点までの経過時間が、所定のオフ継続時間（第２基準時間。本実施形態では１分。）を経過しているか否かをチェックする（ＳＴＥＰ２）。前回主電源がオフにされた時点からオンにされた時点までの経過時間がオフ継続時間を超えていないときは、主電源のオン操作を行ったリモコン以外のリモコンに給湯熱源機２の運転温度が変更された旨をチャイム等で報知する（ＳＴＥＰ３）。
【００２５】
このようにチャイム等で報知するのは、以下の理由による。本実施形態においては、主電源をオフからオンにしたリモコンの設定温度が給湯熱源機２の運転温度となるような設定となっているため、前回主電源がオフにされた時点から今回オンにされた時点までの経過時間が短い場合は、使用者が自己の使用するリモコンにおいて温度設定を行いたい場合が多いものと推定される。このような状況では、たまたま他の給湯口の使用を中断していた使用者がいた場合、その使用者が給湯を再開すると自己の意に反した温度の湯が給湯されるおそれがあるからである。
【００２６】
そこで、本実施形態においては、前回主電源がオフにされた時点からオンにされた時点までの経過時間がオフ継続時間を超えていないときは、主電源のオン操作を行ったリモコン以外のリモコンに給湯熱源機２の運転温度が変更された旨をチャイム等で報知する（ＳＴＥＰ３）。これにより、他の給湯口において使用を中断していた使用者がいた場合であっても、その使用者に給湯熱源機２の運転温度が変更されたことを報知することができる。一方、前回主電源がオフにされた時点から今回オンにされた時点までの経過時間がオフ継続時間を超えている場合は（ＳＴＥＰ２でＮＯ）、上記不都合はないものと推測されるのでチャイム等による報知は行わない。
【００２７】
その後、コントローラ６は、主電源をオンにしたリモコンで設定されている設定温度を給湯熱源機２の運転温度とする（ＳＴＥＰ４）。そして、コントローラ６は、各給湯センサ１５，１６，１７からの信号により各給湯口から給湯がなされていない時間が所定の第１基準時間（本実施形態では１分）経過したか否かをチェックし（ＳＴＥＰ５）、第１基準時間を超えていなければ主電源をオンにしたリモコンの設定温度を給湯熱源機２の運転温度として給湯熱源機２を制御する（ＳＴＥＰ６）。
【００２８】
一方、給湯センサ１５，１６，１７によって台所用カラン１２、浴室用カラン８、シャワー７及び洗面所用カラン１３のいずれの給湯口からも給湯が行われていないことが検知され、その状態が第１基準時間を経過した場合は（ＳＴＥＰ５でＹＥＳ）、コントローラ６は、各リモコンのうち、設定温度が最低となっているリモコンの設定温度を給湯熱源機２の運転温度として選択する（ＳＴＥＰ７）。
【００２９】
ここで、第１基準時間は、いずれかの給湯口の使用が終了したことを推測する目安とする時間である。例えば、台所において台所用カラン１２から給湯がなされている状態で所定時間を経過したときは台所用カラン１２の使用が終了したと推測してもよい。本実施形態においては、この第１基準時間を１分としている。尚、いずれかの給湯口における給湯の中断時間は、使用者によって異なる場合もあるため、使用者により設定できるようにしてもよい。
【００３０】
このように、給湯熱源機２の運転温度が各リモコンの設定温度のうちの最低温度になっているときに、いずれかの給湯口から給湯が行われた場合は、いずれの給湯口からも各リモコンの最低の設定温度である運転温度で給湯が行われる（ＳＴＥＰ１０）。このとき、コントローラ６はどの給湯口から給湯が行われているか給湯センサ１５，１６，１７により検知し（ＳＴＥＰ９）、給湯が行われていない他のリモコンで主電源のオフや設定温度の変更等の操作がなされたときは（ＳＴＥＰ１１でＹＥＳ）、当該操作を無効とし、操作が行われたリモコンに対して現在は操作ができない旨の報知を行う（ＳＴＥＰ１２）。
【００３１】
一方、給湯が行われているリモコンにおいて設定温度の変更の操作が行われたときは（ＳＴＥＰ１３でＹＥＳ）、コントローラ６は操作が行われたリモコンの設定温度が各リモコンの設定温度のうち最低の温度であるか否かを検知し、最低温度のリモコンであれば（ＳＴＥＰ１４でＹＥＳ）、使用者の操作に従って設定温度の変更を行う（ＳＴＥＰ１５）。
【００３２】
操作が行われたリモコンが、設定温度が最低温度のリモコンでない場合は（ＳＴＥＰ１４でＮＯ）設定温度がアップされたか否かを検出し、設定温度がアップされた場合は（ＳＴＥＰ１６でＹＥＳ）、運転温度を当該操作を行ったリモコンに記憶されている設定温度に変更する（ＳＴＥＰ１７）。そして、さらに設定温度を変更する操作が行われた場合はその操作に応じて運転温度を変更すると共に、他のリモコンに対して運転温度の変更がなされた旨をチャイム等で報知する（ＳＴＥＰ１８）。このように、設定温度が最低温度ではないリモコンにおいて運転温度の変更がなされた場合は、他のリモコン、特に設定温度が最低温度のリモコンに報知することで、使用者の意に反して給湯熱源機２の運転温度が高くなる事態を防止することができる。一方設定温度が低くなるように操作がなされた場合は（ＳＴＥＰ１６でＮＯ）、使用者の操作に従って設定温度の変更を行うと共に、給湯熱源機２の運転温度を変更する。
【００３３】
次に、いずれの給湯センサ１５，１６，１７からも給湯が検知されない状態で（ＳＴＥＰ８でＮＯ）、いずれかのリモコンにおいて設定温度変更の操作がなされた場合は（ＳＴＥＰ１９でＹＥＳ）、コントローラ６は前述のステップ１４から１８における制御を行う。
【００３４】
尚、本実施形態においては、いずれの給湯口からも給湯されていない状態を検知するためにそれぞれの給湯口に設けられた給湯センサ１５，１６，１７を使用しているが、給湯熱源機２に給湯センサが設けられている場合は、当該給湯センサを用いて検知してもよい。また、図示しないバーナ等の運転状況から給湯が行われているかどうかを検知してもよい。
【００３５】
また、上記ＳＴＥＰ１２においては、運転温度が最低温度の状態で給湯が行われている際に他のリモコンにおいてオフ操作がなされた場合、当該オフ操作を無効としているが、同様に、ＳＴＥＰ６において、運転温度が最高温度以外の状態で給湯が行われている際に他のリモコンにおいてオフ操作がなされた場合も当該オフ操作を無効としている。
【００３６】
次に、本実施形態の給湯装置１について、具体的な事例を当てはめて説明する。まず第１事例として、給湯装置１の主電源が長時間オフにされている状態から、使用者が台所用リモコン４を使用して浴槽９内に自動湯張りを行い、その後に浴室Ｂ内で浴室用カラン８やシャワー７等を使用した場合について説明する。このとき、各リモコンにおいて設定されている温度は、台所用リモコン４で６０℃、浴室用リモコン３の給湯温度が４０℃、浴室用リモコン３の湯張り温度が４１℃、洗面所用リモコン５で４５℃となっていると仮定する。
【００３７】
使用者が台所用リモコン４の運転スイッチ２４をオンにしたときは、コントローラ６は、まず前回主電源がオフにされてからオンにされた時点までの経過時間が、所定のオフ継続時間を経過しているか否かをチェックする（ＳＴＥＰ２）。第１事例では主電源が長時間オフにされていた状態で運転スイッチ２４をオンにしたので、他のリモコン３，５に主電源がオンにされた旨の報知を行うことなく運転温度を台所用リモコン４の設定温度である６０℃にする。
【００３８】
その後、第１基準時間である１分以内に台所用リモコン４の自動湯張りスイッチ２５が押された場合は（ＳＴＥＰ５でＮＯ）、給湯温度が現在の運転温度である６０℃になるように制御されるが（ＳＴＥＰ６）、自動湯張りが行われる場合は、浴室用リモコン３で設定がなされている４１℃で浴槽用給湯口１０から浴槽９内に湯張りが行われる。そして、湯張りセンサ１１により湯張りが終了されたことが検知されると、コントローラ６は浴槽９内への給湯を停止して自動湯張りを終了させる。
【００３９】
自動湯張りが終了し、いずれの給湯口からも給湯が行われない状態が第１基準時間である１分を経過した場合は（ＳＴＥＰ５でＹＥＳ）、給湯熱源機２の運転温度が浴室用リモコン３の設定温度である４０℃に変更される（ＳＴＥＰ７）。そして、使用者が浴室Ｂ内でシャワー７や浴室用カラン８から給湯を行ったときは（ＳＴＥＰ８でＹＥＳ）、コントローラ６は給湯センサ１５により浴室Ｂ内に給湯が行われていることを検知する（ＳＴＥＰ９）。そして、浴室Ｂ内のシャワー７等に浴室用リモコン３の設定温度である４０℃で給湯を行う（ＳＴＥＰ１０）。
【００４０】
このように、浴室Ｂ内のシャワー７等に給湯が行われているときに、他の台所用リモコン４や洗面所用リモコン５において主電源をオフにする操作や、設定温度を変更する操作がなされた場合であっても（ＳＴＥＰ１１でＹＥＳ）、コントローラ６はこのような操作を無効にすると共に、操作が行われたリモコンに当該操作が無効である旨の報知を行う（ＳＴＥＰ１２）。
【００４１】
この第１事例のように、台所において浴槽９内の自動湯張りを行い、その後に使用者がシャワー７等を使用する場合は、設定温度が最低である浴室用リモコン３の設定温度で給湯が行われ、他のリモコンにおける操作が無効とされるので、使用者の意に反して高い温度の給湯が行われることがない。
【００４２】
次に、第２事例として、給湯装置１の主電源を常時オンにしており、その状態から洗面所において給湯を行った場合について説明する。この第２事例においては、使用者は給湯装置１の主電源をこまめに切ることはなく、通常はオンの状態となっている。尚、各リモコンの温度設定は上記第１事例と同様とする。
【００４３】
このような使用状態においては、いずれの給湯口からも給湯されていない状態が第１基準時間である１分以上続いているので（ＳＴＥＰ５でＹＥＳ）、給湯熱源機２の運転温度は最低の設定温度である浴室用リモコン３で設定された４０℃となっている（ＳＴＥＰ７）。
【００４４】
この状態から、使用者が洗面所において洗面所用カラン１３から給湯を行った場合は（ＳＴＥＰ８でＹＥＳ）、給湯熱源機２の運転温度が４０℃であるので、洗面所用カラン１３からは４０℃の湯が給湯される（ＳＴＥＰ１０）。そして、使用者が温度設定スイッチ２９の「あつく」のスイッチを押すと（ＳＴＥＰ１３でＹＥＳ）、洗面所用リモコン５は設定温度が最低温度のリモコンではなく（ＳＴＥＰ１４でＮＯ）、設定温度をアップする方向に変更されるので（ＳＴＥＰ１６でＹＥＳ）運転温度は洗面所用リモコン５の設定温度である４５℃に変更される（ＳＴＥＰ１７）。使用者がさらに高い温度の給湯を望む場合は、さらに温度設定スイッチ２９の「あつく」のスイッチを押すことにより、１℃ずつ運転温度が高くなる（ＳＴＥＰ１８）。そして、浴室用リモコン３及び台所用リモコン４に運転温度が高く設定された旨をチャイム等により報知する（ＳＴＥＰ１８）。また、このとき設定された温度が洗面所用リモコン５の設定温度として記憶される。
【００４５】
このように、本実施形態においては、設定温度が最低温度のリモコンよりも高いリモコンにおいて給湯温度を高くするように操作を行ったときは、直ちに当該操作を行ったリモコンの設定温度に運転温度が変更される（ＳＴＥＰ１７）。従って、第１基準時間経過後に給湯熱源機２の運転温度が各リモコンの設定温度のうちの最低温度に変更された場合であっても、他のリモコンにおいて給湯熱源機２の運転温度をそのリモコンに記憶されている設定温度に変更することが容易となるため、従来の給湯装置に比べて使い勝手がよくなる。また、このとき、他のリモコンに運転温度が変更されたことが報知されるので、他の給湯口を使用する使用者がいた場合であっても、当該使用者は変更された運転温度を認識できるため、当該使用者の意に反して高い温度の湯が供給されることはない。
【００４６】
一方、洗面所用リモコン５において使用者が４０℃よりも低い温度の給湯を望む場合は、温度設定スイッチ２９の「ぬるく」を押せば、設定温度が低くなるように変更されるため（ＳＴＥＰ１６でＮＯ）、通常通り１℃ずつ運転温度が低くなる（ＳＴＥＰ１５）。また、このとき設定された温度が洗面所用リモコン５の設定温度として記憶される。
【００４７】
尚、上記実施形態においては、第１基準時間及びオフ継続時間を１分としているが、使用者の使用状況に応じて変更可能としてもよい。
【図面の簡単な説明】
【図１】本発明の実施形態の一例である給湯装置の構成を示す模式図。
【図２】図１の給湯装置の作動を示すフローチャート。
【符号の説明】
１…給湯装置、２…給湯熱源機、３…浴室用リモコン、４…台所用リモコン、５…洗面所用リモコン、６…コントローラ（制御手段）。
【図１】
2004309068.tif 000003
【図２】
2004309068.tif 000004